【手続補正書】
【提出日】平成16年3月12日(2004.3.12)
【手続補正１】
【補正対象書類名】明細書
【補正対象項目名】特許請求の範囲
【補正方法】変更
【補正の内容】
【特許請求の範囲】
【請求項１】
印刷用記録材に関する情報を格納する記憶装置を備える回路基板であって、
前記回路基板上において一の方向の両端部に配置されている２以上の接地端子と、
前記回路基板上に配置されていると共に、前記印刷用記録材に関する情報の書き込みおよび読み出しに用いられる複数の端子であって、電源端子と制御信号端子とを含む複数の端子を備え、
前記２以上の接地端子は、前記電源端子に対する最近接端子ではないことを特徴とする回路基板。
【請求項２】
請求項１に記載の回路基板において、
前記複数の端子および前記接地端子は、同一列上に配列されており、
前記２以上の接地端子の内、２つの接地端子は前記列の最外端にそれぞれ配置されていることを特徴とする回路基板。
【請求項３】
請求項１に記載の回路基板において、
前記複数の端子は複数の列を形成するように配列されており、
前記２以上の接地端子の内、２つの接地端子は前記複数の列の内の一の列の最外端にそれぞれ配置されていることを特徴とする回路基板。
【請求項４】
請求項３に記載の回路基板において、
前記複数の端子は、クロック信号端子を含み、
前記クロック信号端子は、前記２以上の接地端子の内、２つの接地端子によって挟まれていることを特徴とする回路基板。
【請求項５】
請求項３に記載の回路基板において、
前記複数の端子は、電源端子を含み、
前記２以上の接地端子の内、２つの接地端子は前記電源端子を含む列とは異なる列の最外端にそれぞれ配置されていることを特徴とする回路基板。
【請求項６】
請求項３に記載の回路基板において、
前記複数の端子は、データ入出力端子、電源端子、選択信号端子列、読み出し／書き込み制御信号端子、およびクロック信号端子を含み、
前記複数の列は、
前記電源端子の両側に、前記データ入出力端子、および前記選択信号端子が  それぞれ配置されている第１の列と、
前記２つの接地端子の間に、前記読み出し／書き込み制御信号端子および前  記クロック信号端子がそれぞれ配置されている第２の列とを有し、
前記第１の列は、前記第２の列よりも前記回路基板の中心よりに配置され、
前記第１の列に配置されている前記各端子と前記第２の列に配置されている前記各端子とは交互に配置されていることを特徴とする回路基板。
【請求項７】
請求項１ないし請求項６のいずれかに記載の回路基板において、
前記複数の端子は、約１ｍｍ間隔にて前記列の形成方向に配置されていることを特徴とする回路基板。
【請求項８】
印刷装置に装着されて用いられる印刷記録材収容体であって、
印刷記録材を収容する収容室と、
前記収容室に収容されている印刷記録材に関する情報を格納する記憶装置を有する回路基板であって、前記回路基板上において一の方向に配置されている複数の端子と、前記回路基板上において一の方向の両端部に配置されている２以上の接地端子とを有する回路基板とを備え、
前記２以上の接地端子は、前記電源端子に対する最近接端子ではないことを特徴とする印刷記録材収容体。
【請求項９】
請求項８に記載の印刷記録材収容体において、
前記複数の端子は複数の列を形成するように配列されており、
前記２以上の接地端子の内、２つの接地端子は前記複数の列の内の一の列の最外端にそれぞれ配置されていることを特徴とする印刷記録材収容体。
【請求項１０】
請求項９に記載の印刷記録材収容体において、
前記複数の端子は、電源端子、制御信号端子、およびクロック信号端子を含み、
前記２以上の接地端子の内、２つの接地端子は、前記電源端子を含む列とは異なる列であると共に前記クロック信号端子と同列の最外端にそれぞれ配置されていることを特徴とする印刷記録材収容体。
【請求項１１】
請求項９に記載の印刷記録材収容体において、
前記複数の端子は、データ入出力端子、電源端子、選択信号端子列、読み出し／書き込み制御信号端子、およびクロック信号端子を含み、
前記複数の列は、
前記電源端子の両側に、前記データ入出力端子、および前記選択信号端子が  それぞれ配置されている第１の列と、
前記２つの接地端子の間に、前記読み出し／書き込み制御信号端子および前  記クロック信号端子がそれぞれ配置されている第２の列とを有し、
前記第１の列は、前記第２の列よりも前記回路基板の中心よりに配置され、
前記第１の列に配置されている前記各端子と前記第２の列に配置されている前記各端子とは交互に配置されていることを特徴とする印刷記録材収容体。
【請求項１２】
請求項８ないし請求項１１のいずれかに記載の印刷記録材収容体において、
前記複数の端子は、約１ｍｍ間隔にて前記列の形成方向に配置されていることを特徴とする印刷記録材収容体。
【請求項１３】
請求項８ないし請求項１２のいずれかに記載の印刷記録材収容体において、
前記印刷記録材収容体はインクカートリッジであることを特徴とする印刷記録材収容体。
【請求項１４】
請求項８ないし請求項１３のいずれかに記載の印刷記録材収容体において、
前記印刷記録材収容体はトナーカートリッジであることを特徴とする印刷記録材収容体。
【請求項１５】
請求項８ないし請求項１１のいずれかに記載の印刷記録材収容体はさらに、
２つの縁部を備えると共に前記印刷装置に接続される接続端面であって、中心に印刷記録材供給口を有する接続端面を備え、
前記回路基板は前記接続端面のいずれかの縁部に配置されている印刷記録材容器。
【請求項１６】
印刷用記録材に関する情報を格納する記憶装置を備える回路基板であって、
前記回路基板上において一の方向の両端部に配置されている２以上の接地端子と、
前記回路基板上に配置されていると共に、前記印刷用記録材に関する情報の書き込みおよび読み出しに用いられる、少なくとも電源端子を含む複数の端子を備え、
前記２以上の接地端子と前記複数の端子は複数の列を形成するように配列されており、
前記電源端子は、前記接地端子が配置されている列とは異なる列の中心に配置されている回路基板。
【請求項１７】
請求項１６に記載の回路基板において、
前記複数の端子はさらに、データ入出力端子、選択信号端子列、読み出し／書き込み制御信号端子、およびクロック信号端子を含み、
前記２以上の接地端子の内、２つの接地端子は前記列の最外端にそれぞれ配置されており、
前記複数の列は、
前記電源端子の両側に、前記データ入出力端子、および前記選択信号端子が  それぞれ配置されている第１の列と、
前記２つの接地端子の間に、前記読み出し／書き込み制御信号端子および前  記電源端子がそれぞれ配置されている第２の列とを有する回路基板。
【請求項１８】
請求項１７に記載の回路基板において、前記第２の列は、前記第１の列よりも前記回路基板の中心から離れた位置に配置されている回路基板。
【請求項１９】
印刷用記録材に関する情報を格納する記憶装置を備える回路基板であって、
前記回路基板上において一の方向の両端部に配置されている２以上の接地端子と、
前記回路基板上に配置されていると共に、前記印刷用記録材に関する情報の書き込みおよび読み出しに用いられる、少なくとも電源端子を含む複数の端子を備え、
前記２以上の接地端子と前記複数の端子は複数の列を形成するように配列されており、
前記複数の列の内、前記接地端子が含まれる列は、最も多くの端子を含む回路基板。
【請求項２０】
印刷装置に装着されて用いられる印刷記録材収容体であって、
印刷記録材を収容する収容室と、
前記収容室に収容されている印刷記録材に関する情報を格納する記憶装置を有する回路基板であって、前記回路基板上において一の方向に配置されている複数の端子と、前記回路基板上において一の方向の両端部に配置されている２以上の接地端子とを有する回路基板とを備え、
前記複数の端子は少なくとも電源端子を含むと共に複数の列を形成するように配列されており、
前記電源端子は、前記複数の列の内、前記接地端子が含まれない列の中心に配置されている印刷記録材収容体。
【請求項２１】
請求項２０に記載の印刷記録材収容体において、
前記複数の端子は、データ入出力端子、選択信号端子列、読み出し／書き込み制御信号端子、およびクロック信号端子を含み、
前記２以上の接地端子の内、２つの接地端子は前記複数の列の内の一の列の最外端にそれぞれ配置されており、
前記複数の列は、
前記電源端子の両側に、前記データ入出力端子、および前記選択信号端子が  それぞれ配置されている第１の列と、
前記２つの接地端子の間に、前記読み出し／書き込み制御信号端子および前  記クロック信号端子がそれぞれ配置されている第２の列とを有する印刷記録材収容体。
【請求項２２】
請求項２１に記載の印刷記録材収容体において、前記第２の列は、前記第１の列よりも前記回路基板の中心から離れた位置に配置されている印刷記録材収容体。
【請求項２３】
印刷装置に装着されて用いられる印刷記録材収容体であって、
印刷記録材を収容する収容室と、
前記収容室に収容されている印刷記録材に関する情報を格納する記憶装置を有する回路基板であって、前記回路基板上において一の方向に配置されている複数の端子と、前記回路基板上において一の方向の両端部に配置されている２以上の接地端子とを有する回路基板とを備え、
前記複数の端子は少なくとも電源端子を含むと共に複数の列を形成するように配列されており、
前記複数の列の内、前記接地端子を含む列は、最も多くの端子を含む印刷記録材収容体。
【請求項２４】
印刷装置に装着されて用いられる印刷記録材収容体であって、
印刷記録材を収容する収容室と、
前記収容室に収容されている印刷記録材に関する情報を格納する記憶装置を有する回路基板であって、前記回路基板上において一の方向に配置されている複数の端子と、前記回路基板上において一の方向の両端部に配置されている２以上の接地端子とを有する回路基板とを備え、
前記複数の端子および前記接地端子は、単一の列を形成するように配列されており、
前記２以上の接地端子の内、２つの接地端子は前記列の最外端にそれぞれ配置されていることを特徴とする印刷記録材収容体。
【手続補正２】
【補正対象書類名】明細書
【補正対象項目名】０００７
【補正方法】変更
【補正の内容】
【０００７】
【課題を解決するための手段およびその作用・効果】
上記課題を解決するために本発明の第１の態様は、印刷用記録材に関する情報を格納する記憶装置を備える回路基板を提供する。本発明の第１の態様に係る回路基板は、前記回路基板上において一の方向の両端部に配置されている２以上の接地端子と、前記回路基板上に配置されていると共に、前記印刷用記録材に関する情報の書き込みおよび読み出しに用いられる複数の端子であって、電源端子と制御信号端子とを含む複数の端子を備え、前記２以上の接地端子は、前記電源端子に対する最近接端子ではないことを特徴とする。


【手続補正３】
【補正対象書類名】明細書
【補正対象項目名】０００８
【補正方法】変更
【補正の内容】
【０００８】
本発明の第１の態様に係る回路基板によれば、回路基板上において一の方向の両端部に配置されている２以上の接地端子を備えるので、回路基板上の端子に対する接触を正確に検出することができると共に、電源端子と接地端子との短絡を防止することができる。


【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
本発明の第１の態様に係る回路基板において、前記複数の端子は、データ入出力端子、電源端子、選択信号端子列、読み出し／書き込み制御信号端子、およびクロック信号端子を含み、
前記複数の列は、
前記電源端子の両側に、前記データ入出力端子、および前記選択信号端子が  それぞれ配置されている第１の列と、
前記２つの接地端子の間に、前記読み出し／書き込み制御信号端子および前  記クロック信号端子がそれぞれ配置されている第２の列とを有し、
前記第１の列は、前記第２の列よりも前記回路基板の中心よりに配置され、
前記第１の列に配置されている前記各端子と前記第２の列に配置されている前記各端子とは交互に配置されていても良い。かかる構成を備える場合には、各端子間の短絡を防止できると共に、各端子に対する不必要な接触を防止することができる。


【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明の第３の態様は、印刷装置に装着されて用いられる印刷記録材収容体を提供する。本発明の第３の態様に係る印刷記録材収容体は、印刷記録材を収容する収容室と、前記収容室に収容されている印刷記録材に関する情報を格納する記憶装置を有する回路基板であって、前記回路基板上において一の方向に配置されている複数の端子と、前記回路基板上において一の方向の両端部に配置されている２以上の接地端子とを有する回路基板とを備え、前記２以上の接地端子は、前記電源端子に対する最近接端子ではないことを特徴とする。


【手続補正１０】
【補正対象書類名】明細書
【補正対象項目名】００１８
【補正方法】変更
【補正の内容】
【００１８】
本発明の第３の態様に係る印刷記録材収容体は、一の方向の両端部に配置されている２以上の接地端子を有すると共に、電源端子に対する最近接端子ではない２以上の接地端子を有する回路基板を備えるので、印刷記録材収容体が装着されたか否かを正確に検出することができると共に、電源端子と接地端子との短絡を防止することができる。


【手続補正１１】
【補正対象書類名】明細書
【補正対象項目名】００１９
【補正方法】削除
【補正の内容】
【手続補正１２】
【補正対象書類名】明細書
【補正対象項目名】００２１
【補正方法】変更
【補正の内容】
【００２１】
本発明の第３の態様に係る印刷記録材収容体において、前記複数の端子は、データ入出力端子、電源端子、選択信号端子列、読み出し／書き込み制御信号端子、およびクロック信号端子を含み、
前記複数の列は、
前記電源端子の両側に、前記データ入出力端子、および前記選択信号端子が  それぞれ配置されている第１の列と、
前記２つの接地端子の間に、前記読み出し／書き込み制御信号端子および前  記クロック信号端子がそれぞれ配置されている第２の列とを有し、
前記第１の列は、前記第２の列よりも前記回路基板の中心よりに配置され、
前記第１の列に配置されている前記各端子と前記第２の列に配置されている前記各端子とは交互に配置されていても良い。かかる構成を備える場合には、各端子間の短絡を防止できると共に、各端子に対する不必要な接触を防止することができる。